(57)【要約】【課題】より直観的に操作を行うことが可能なメニュー表示を提供する。【解決手段】メニュー選択に係るユーザインタフェースを制御する制御部、を備え、上記制御部は、内外方向に重畳する複数のレイヤーを有する立体オブジェクトを上記ユーザインタフェース上に配置し、ユーザ操作に基づいて最外側に表示させる上記レイヤーの切り替えを制御し、上記レイヤーの表面に配置された少なくとも一つのメニューをユーザに提示する、制御装置が提供される。【選択図】図２
2020030518.tif 000002
【特許請求の範囲】
【請求項１】
メニュー選択に係るユーザインタフェースを制御する制御部、
を備え、
前記制御部は、内外方向に重畳する複数のレイヤーを有する立体オブジェクトを前記ユーザインタフェース上に配置し、ユーザ操作に基づいて最外側に表示させる前記レイヤーの切り替えを制御し、前記レイヤーの表面に配置された少なくとも一つのメニューをユーザに提示する、
制御装置。
【請求項２】
前記立体オブジェクトは略筒型であり、
前記制御部は、ユーザ操作に基づいて前記レイヤーを長手方向にスライドさせることで最外側に表示させる前記レイヤーの切り替えを制御する、
請求項１に記載の制御装置。
【請求項３】
前記制御部は、前記立体オブジェクトのエッジ部を始点としたユーザのスライド操作に基づいて、前記レイヤーの切り替えを制御する、
請求項２に記載の制御装置。
【請求項４】
前記立体オブジェクトは、複数の前記レイヤーのそれぞれに対応する複数の前記エッジ部を有し、
複数の前記エッジ部は、互いに異なるリング形状を有する、
請求項３に記載の制御装置。
【請求項５】
複数の前記レイヤーの表面には、それぞれ異なるメニューが配置される、
請求項１〜４のいずれかに記載の制御装置。
【請求項６】
前記ユーザ操作は、少なくともタッチパネルにおけるフリック操作を含む、
請求項１〜５のいずれかに記載の制御装置。
【請求項７】
前記制御部は、前記レイヤーに対するフリック操作に基づいて、前記メニューに係る視覚表示を前記フリック操作が行われた方向にスライドさせる、
請求項１〜６のいずれかに記載の制御装置。
【請求項８】
メニュー選択に係るユーザインタフェースを制御すること、
を含み、
前記制御することは、内外方向に重畳する複数のレイヤーを有する立体オブジェクトを前記ユーザインタフェース上に配置することと、
ユーザ操作に基づいて最外側に表示させる前記レイヤーの切り替えを制御し、前記レイヤーの表面に配置された少なくとも一つのメニューをユーザに提示することと、
をさらに含む、
制御方法。
【請求項９】
コンピュータを、
メニュー選択に係るユーザインタフェースを制御する制御部、
を備え、
前記制御部は、内外方向に重畳する複数のレイヤーを有する立体オブジェクトを前記ユーザインタフェース上に配置し、ユーザ操作に基づいて最外側に表示させる前記レイヤーの切り替えを制御し、前記レイヤーの表面に配置された少なくとも一つのメニューをユーザに提示する、
制御装置、
として機能させるためのプログラム。
【請求項１０】
機能の実行制御に係るユーザインタフェースを制御する制御部、
を備え、
前記制御部は、略筒型の立体オブジェクトを前記ユーザインタフェース上に配置し、前記立体オブジェクトに対する長手方向または短手方向のユーザ操作に基づいて、機能の実行に係るレベルを変化させる、
制御装置。
【発明の詳細な説明】
【技術分野】
【０００１】
本発明は、制御装置、制御方法、およびプログラムに関する。
【背景技術】
【０００２】
近年、ＧＵＩ（Ｇｒａｐｈｉｃａｌ  Ｕｓｅｒ  Ｉｎｔｅｒｆａｃｅ）を介してメニューの選択や実行制御などを行う技術が普及している。例えば、特許文献１には、多数のメニューを階層構造を用いて表示する技術が開示されている。
【先行技術文献】
【特許文献】
【０００３】
【特許文献１】特開２０１０−１９６４３号公報
【発明の概要】
【発明が解決しようとする課題】
【０００４】
しかし、階層構造を用いたメニュー表示ではメニューの数が多くなるほど階層が深くなることから、操作が煩雑となる場合も想定される。また、上記のようなメニュー表示では、各階層に配置されるメニューごとの操作方法を、ユーザが直観的に把握することが困難な場合がある。
【０００５】
そこで、本発明は、上記問題に鑑みてなされたものであり、本発明の目的とするところは、より直観的に操作を行うことが可能なメニュー表示を提供することが可能な、新規かつ改良された制御装置、制御方法、およびプログラムを提供することにある。
【課題を解決するための手段】
【０００６】
上記課題を解決するために、本発明のある観点によれば、メニュー選択に係るユーザインタフェースを制御する制御部、を備え、上記制御部は、内外方向に重畳する複数のレイヤーを有する立体オブジェクトを上記ユーザインタフェース上に配置し、ユーザ操作に基づいて最外側に表示させる上記レイヤーの切り替えを制御し、上記レイヤーの表面に配置された少なくとも一つのメニューをユーザに提示する、制御装置が提供される。
【０００７】
また、上記立体オブジェクトは略筒型であり、上記制御部は、ユーザ操作に基づいて上記レイヤーを長手方向にスライドさせることで最外側に表示させる上記レイヤーの切り替えを制御してもよい。
【０００８】
また、上記制御部は、上記立体オブジェクトのエッジ部を始点としたユーザのスライド操作に基づいて、上記レイヤーの切り替えを制御してもよい。
【０００９】
また、上記立体オブジェクトは、複数の上記レイヤーのそれぞれに対応する複数の上記エッジ部を有し、複数の上記エッジ部は、互いに異なるリング形状を有してもよい。
【００１０】
また、複数の上記レイヤーの表面には、それぞれ異なるメニューが配置されてもよい。
【００１１】
また、上記ユーザ操作は、少なくともタッチパネルにおけるフリック操作を含んでもよい。
【００１２】
また、上記制御部は、上記レイヤーに対するフリック操作に基づいて、上記メニューに係る視覚表示を上記フリック操作が行われた方向にスクロールさせてもよい。
【００１３】
また、上記課題を解決するために、本発明の別の観点によれば、メニュー選択に係るユーザインタフェースを制御すること、を含み、上記制御することは、内外方向に重畳する複数のレイヤーを有する立体オブジェクトを上記ユーザインタフェース上に配置することと、ユーザ操作に基づいて最外側に表示させる上記レイヤーの切り替えを制御し、上記レイヤーの表面に配置された少なくとも一つのメニューをユーザに提示することと、をさらに含む、制御方法が提供される。
【００１４】
また、上記課題を解決するために、本発明の別の観点によれば、コンピュータを、メニュー選択に係るユーザインタフェースを制御する制御部、を備え、上記制御部は、内外方向に重畳する複数のレイヤーを有する立体オブジェクトを上記ユーザインタフェース上に配置し、ユーザ操作に基づいて最外側に表示させる上記レイヤーの切り替えを制御し、上記レイヤーの表面に配置された少なくとも一つのメニューをユーザに提示する、制御装置、として機能させるためのプログラムが提供される。
【００１５】
また、上記課題を解決するために、本発明の別の観点によれば、機能の実行制御に係るユーザインタフェースを制御する制御部、を備え、上記制御部は、略筒型の立体オブジェクトを上記ユーザインタフェース上に配置し、上記立体オブジェクトに対する長手方向または短手方向のユーザ操作に基づいて、機能の実行に係るレベルを変化させる、制御装置が提供される。
【発明の効果】
【００１６】
以上説明したように本発明によれば、より直観的に操作を行うことが可能なメニュー表示を提供することが可能となる。
【図面の簡単な説明】
【００１７】
【図１】本発明の一実施形態に係る立体オブジェクトの構造について説明するための図である。
【図２】同実施形態に係る立体オブジェクトＯのメニュー表示の切り替えについて説明するための図である。
【図３】同実施形態に係る機能構成例を示すブロック図である。
【図４】同実施形態に係るスケジュールメニューの表示例を示す図である。
【図５】同実施形態に係るコンテンツ視聴メニューの表示例を示す図である。
【図６Ａ】同実施形態に係る機能の実行に係るレベル制御について説明するための図である。
【図６Ｂ】同実施形態に係る機能の実行に係るレベル制御について説明するための図である。
【発明を実施するための形態】
【００１８】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００１９】
＜１．実施形態＞
＜＜１．１．概要＞＞
まず、本発明の概要について説明する。上述したように、近年においては、ＧＵＩを介してメニューの選択や実行制御などを行う技術が普及している。上記のようなＧＵＩを有する装置の例としては、例えば、スマートフォンやＰＣ（Ｐｅｒｓｏｎａｌ  Ｃｏｍｐｕｔｅｒ）、カーナビゲーション装置などが挙げられる。ユーザは、ＧＵＩに表示されるメニューを選択することなどにより、対応する機能を装置に実行させることが可能である。
【００２０】
また、上述したように、階層構造を用いて複数のメニューを特性や対応関係に基づいて整理する手法も普及している。このようなメニュー表示によれば、ユーザが目的のメニューを探し出すことを補助することができる。
【００２１】
一方で、メニューの数が多いほど階層構造が深くなることから、目的のメニューを探し出すことが反対に困難となる場合も想定される。また、階層構造が深くなるほど操作が煩雑となるため、ユーザビリティの低下も懸念される。
【００２２】
さらには、階層構造を用いたメニュー表示では、多くの場合、各階層に配置されるメニューの操作方法が統一されていない。このため、メニューごとの操作方法を、ユーザが直観的に把握することが困難な場合がある。
【００２３】
本発明に係る技術思想は上記の点に着目して発想されたものであり、より直観的に操作を行うことが可能なメニュー表示を提供することを目的の一つとする。このために、本発明の一実施形態に係る制御方法を実現する制御装置１０は、メニュー選択に係るユーザインタフェースを制御する制御部１１０を備える。なお、本明細書におけるメニューとは、ＧＵＩ上に表示される選択肢を指し、各選択肢は、それぞれ異なる機能に対応してもよい。
【００２４】
また、本発明の一実施形態に係る制御部１１０は、内外方向に重畳する複数のレイヤーを有する立体オブジェクトＯをユーザインタフェース上に配置することを特徴の一つとする。図１は、本発明の一実施形態に係る立体オブジェクトＯの構造について説明するための図である。
【００２５】
本実施形態に係る立体オブジェクトＯは、例えば、図１に示すように、複数のレイヤーＬ１〜Ｌ４と、当該複数のレイヤーＬ１〜Ｌ４に対応する複数のリングＲ１〜Ｒ４を有する。本実施形態に係る立体オブジェクトＯは、上端および下端にリング形状のエッジ部を有する、ともいえる。
【００２６】
また、本実施形態に係るレイヤーＬ１〜Ｌ４の表面には、それぞれ異なるメニューが配置されてよい。例えば、レイヤーＬ１〜Ｌ４の表面には、それぞれ、スケジュール、コンテンツ視聴、お気に入り、エアーコンディショナー制御などに係るメニューが配置され得る。すなわち、本実施形態に係る立体オブジェクトＯは、レイヤーＬ１〜Ｌ４ごとに異なるメニューをユーザに提示する。
【００２７】
このために、本実施形態に係る立体オブジェクトＯは、提示するメニューの数に応じた数のレイヤーＬを有してよい。図１では、本実施形態に係る立体オブジェクトＯが４つメニューに対応する４つのレイヤーＬ１〜Ｌ４およびリングＲ１〜Ｒ４を有する場合を一例として示しているが、本実施形態に係るレイヤーＬおよびリングＲの数は係る例に限定されない。
【００２８】
また、レイヤーＬ１〜Ｌ４は、内側に存在する他のレイヤーや軸Ａ、またレイヤーＬ１〜Ｌ４に対応するリングＲ１〜Ｒ４の存在をユーザが視認できる程度に少なくとも一部に透過性を有してよい。係る視覚表現によれば、従来の階層構造によるメニュー表示とは異なり、ユーザが、選択が可能なメニューの数を直観的に把握することが可能となる。
【００２９】
また、本実施形態に係る立体オブジェクトＯは、例えば、図１に示すように、略筒型の形状を有してもよい。上記のような形状によれば、各レイヤーＬの外周表面を広く（例えば、３６０°）用いて各メニューに係る視覚表示を行うことができ、限られた表示領域を有効に活用することができる。この際、ユーザは、例えば、立体オブジェクトＯの短手方向にフリック操作を行うことで、レイヤーＬを軸Ａに対して回転させ、手前側（すなわちユーザ側）に表示させる領域を任意に調整することが可能である。
【００３０】
なお、立体オブジェクトＯやレイヤーＬの形状は、必ずしも図示するように完全な円筒型でなくてもよい。本実施形態に係る立体オブジェクトＯやレイヤーＬの両端は、例えば、楕円であってもよい。また、レイヤーＬの外周表面は３６０°が連続して接続される必要はなく、例えば、視覚表示を行わない間隙などを有してもよい。
【００３１】
また、本実施形態に係る立体オブジェクトＯは、例えば、角柱型であってもよい。この場合、底面の形状を五角形以上とすることで、筒型と同様に奥側に表示領域が続いていることをユーザに直観的に把握させることが可能である。
【００３２】
また、本実施形態に係る立体オブジェクトＯは、例えば、球型やタマネギ型などであってもよい。本実施形態に係る立体オブジェクトＯおよびレイヤーＬは、外周を有する任意の形状で形成され得る。さらには、本実施形態に係る複数のレイヤーＬや複数のリングＲは、互いに形状が異なってもよい。立体オブジェクトＯは、例えば、円筒型のレイヤーＬ１とリングＲ、六角柱型のレイヤーＬ２とリングＲ２を有してもよい。上記のように複数のレイヤーＬの間や複数のリングＲの間で互いに形状を異ならせることにより、ユーザが、各レイヤーＬの内容（すなわち、表示されるメニュー）を直観的に把握することが可能となる。
【００３３】
続いて、本実施形態に係るメニュー表示の切り替えについて説明する。図２は、本実施形態に係る立体オブジェクトＯのメニュー表示の切り替えについて説明するための図である。本実施形態に係る立体オブジェクトＯは、例えば、図２の左側に示すように、表示当初においては、上下のリングＲが閉じた状態でディスプレイ上に表示されてもよい。この際、立体オブジェクトＯは、ユーザ操作や装置の起動処理の進行に基づいて、図２の右側に示すように上下に展開しメニュー表示を開始する。
【００３４】
係る状態において、本実施形態に係る制御部１１０は、ユーザ操作に基づいて最外側に表示させるレイヤーＬの切り替えを制御し、レイヤーＬの表面に配置された少なくとも一つのメニューをユーザに提示することができる。
【００３５】
上記のユーザ操作は、例えば、タッチパネルにおけるフリック操作などのスライド操作であってもよい。本実施形態に係る制御部１１０は、ユーザのフリック操作に基づいて、レイヤーＬを立体オブジェクトＯの長手方向にスライドさせることで最外側に表示させるレイヤーＬの切り替えを制御してもよい。
【００３６】
ユーザは、例えば、図２の右側に示すように、上側のエッジ部、すなわちリングＲが表示される領域を始点とした下方向へのスライド操作を行うことで、最外側に表示されているレイヤーＬを下方向にスライドさせ、メニューの切り替えを行うことができる。具体的には、ユーザは、上側のリングＲ１を下方向にフリックすることで、レイヤーＬ１を下方向にスライドさせ、レイヤー２を最外側に表示させることができてよい。
【００３７】
また、ユーザは、下側のエッジ部、すなわちリングＲが表示される領域を始点とした上方向へのスライド操作を行うことで、隠れた状態のレイヤーＬを上方向にスライドさせ、最外側に表示させることができる。具体的には、ユーザは、レイヤーＬ２が最外側に表示されている状態において、下側のリングＲ１を上方向にフリックすることで、レイヤーＬ１を上方向にスライドさせ、レイヤーＬ１を最外側に表示させることができてよい。
【００３８】
このように、本実施形態に係る制御部１１０は、検出された上下方向のフリック操作に基づいて、立体オブジェクトＯの最外側に表示させるレイヤーＬを切り替えることができる。本実施形態に係る制御部１１０による上記の制御によれば、ユーザが容易かつ直観的に最外側に表示されるレイヤーＬ、すなわちメニューを切り替えることができ、所望する操作を実行することが可能となる。
【００３９】
なお、本実施形態に係る立体オブジェクトＯは、複数のレイヤーＬを同時に上方向または下方向にスライド可能なように設計されてもよい。ユーザは、例えば、レイヤーＬ１が最外側に表示されている状態において、レイヤーＬ１〜Ｌ３を同時に下方向にスライドさせ、レイヤーＬ４を最外側に表示させることが可能であってよい。
【００４０】
制御部１１０は、例えば、レイヤーＬ１が最外側に表示されている状態において、ユーザがリングＲ３をタッチし下方向にフリックしたことに基づいて、レイヤーＬ１〜Ｌ３を同時に下方向にスライドさせてもよい。また、制御部１１０は、例えば、ユーザがフリック操作を開始する前のタッチの長さやタッチの強さに基づいて、スライドさせるレイヤーＬの数を制御してもよい。上記のような制御によれば、複数のフリック操作を行うことなく目的のメニューを表示させることが可能となり、操作性を向上させることができる。
【００４１】
また、メニューの切り替えのトリガーとなるユーザ操作は、必ずしも上述したようなフリック操作でなくてもよい。本実施形態に係る制御部１１０は、メニューの切り替え制御、すなわちレイヤーＬのスライド制御を、例えば、ユーザによるボタン操作、音声指示などに基づいて実行してもよい。
【００４２】
＜＜１．２．機能構成＞＞
次に、本発明の一実施形態に係る機能構成について説明する。図３は、本実施形態に係る機能構成例を示すブロック図である。
【００４３】
（制御装置１０）
本実施形態に制御装置１０は、メニュー選択や機能の実行制御に係るユーザインタフェースを制御する制御部１１０を備える情報処理装置である。上述したように、本実施形態に係る制御部１１０は、内外方向に重畳する複数のレイヤーＬを有する立体オブジェクトＯをユーザインタフェース上に配置し、メニューの切り替え等を制御することを特徴の一つとする。
【００４４】
本実施形態に係る制御部１１０は、例えば１つまたは２つ以上のプロセッサにより実現される。プロセッサとしては、例えば、ＣＰＵ（Ｃｅｎｔｒａｌ  Ｐｒｏｃｅｓｓｉｎｇ  Ｕｎｉｔ）や、ＭＣＵ（Ｍｉｃｒｏ  Ｃｏｎｔｒｏｌｌｅｒ  Ｕｎｉｔ）などが挙げられる。
【００４５】
本実施形態に係る制御装置１０は、例えば、スマートフォン、ＰＣ、カーナビゲーション装置などの各種の端末によるメニュー表示を制御してもよい。また、本実施形態に係る制御装置１０は、後述する操作装置２０や表示装置３０と一体に形成されてもよい。
【００４６】
（操作装置２０）
本実施形態に係る操作装置２０は、立体オブジェクトＯなどに対するユーザ操作を検出する機能を有する。本実施形態に係る操作装置２０は、例えば、上述したようなフリック操作を検出してもよい。この場合、操作装置２０は、タッチパネルとして表示装置３０と一体に形成されてよい。また、操作装置２０は、各種のボタン、レバー、ダイアルなどを備えてもよい。また、操作装置２０は、ユーザの音声指示を検出するマイクロフォンなどを備えてもよい。
【００４７】
（表示装置３０）
本実施形態に係る表示装置３０は、制御装置１０による制御に基づいて、上述のユーザインタフェースを表示する。このために、本実施形態に係る表示装置３０は、視覚情報を提示する表示デバイスを備える。上記の表示デバイスには、例えば、液晶ディスプレイ（ＬＣＤ：Ｌｉｑｕｉｄ  Ｃｒｙｓｔａｌ  Ｄｉｓｐｌａｙ）装置や、ＯＬＥＤ（Ｏｒｇａｎｉｃ  Ｌｉｇｈｔ  Ｅｍｉｔｔｉｎｇ  Ｄｉｏｄｅ）装置などが挙げられる。
【００４８】
以上、本発明の一実施形態に係る機能構成例について説明した。なお、図３を用いて説明した上記の機能構成はあくまで一例であり、本実施形態に係る機能構成は係る例に限定されない。
【００４９】
＜＜１．３．メニュー表示の具体例＞＞
次に、本実施形態に係るメニュー表示について具体例を示しながら説明する。図４は、本実施形態に係るスケジュールメニューの表示例を示す図である。図４には、本実施形態に係る略筒型の立体オブジェクトＯの最外側に配置されるレイヤーＬ１がスケジュール機能に対応するメニュー表示を行う場合の一例が示されている。
【００５０】
図４に示すように、本実施形態に係る制御部１１０は、例えば、レイヤーＬ１の外周表面において、ユーザが登録したスケジュールが表示されるよう制御を行ってもよい。この際、制御部１１０は、例えば、立体オブジェクトＯの長手方向（上下方向）に１日における時間軸が、短手方向（周方向）に１週間や１か月における時間軸が示されるように表示制御を行ってもよい。
【００５１】
また、この際、本実施形態に係る制御部１１０は、レイヤーＬ１に対するユーザのフリック操作に基づいて、スケジュールメニューに係る視覚表示を当該フリック操作が行われた方向にスクロールさせてよい。
【００５２】
例えば、ユーザが上下いずれかの方向にフリック操作を行ったことを操作装置２０が検出した場合、制御部１１０は、１日における時間軸に沿って視覚表示が上下いずれかの方向にスクロールするよう制御を行ってよい。
【００５３】
また、ユーザが周方向、すなわち左右いずれかの方向にフリック操作を行ったことを操作装置２０が検出した場合、制御部１１０は、１週間や１か月などにおける時間軸に沿って視覚表示が左右いずれかの方向にスクロールするよう制御を行ってよい。すなわち、本実施形態に係る制御部１１０は、周方向のフリック操作に基づいて、レイヤーＬを回転させることができる。
【００５４】
また、図５は、本実施形態に係るコンテンツ視聴メニューの表示例を示す図である。図５には、本実施形態に係る略筒型の立体オブジェクトＯのレイヤーＬ２がコンテンツ視聴機能に対応するメニュー表示を行う場合の一例が示されている。
【００５５】
図５に示すように、本実施形態に係る制御部１１０は、例えば、レイヤーＬ２の外周表面において、楽曲、ラジオ、テレビ番組などの各種のコンテンツＩＣが並列して表示されるように制御を行ってもよい。また、楽曲、ラジオ、テレビ番組のように種別の異なるコンテンツＩＣが混在する場合には、制御部１１０は種別ごとに表示する領域を制御してもよい。
【００５６】
この際、制御部１１０は、例えば、レイヤーＬ２の上側の領域に利用頻度が高いコンテンツＩＣが、下側の領域に利用頻度が低いコンテンツＩＣが表示されるように制御を行うこともできる。
【００５７】
また、制御部１１０は、スケジュールメニューの場合と同様に、レイヤーＬ２に対するユーザのフリック操作に基づいて、コンテンツ視聴メニューに係る視覚表示を当該フリック操作が行われた方向にスクロールさせてよい。
【００５８】
ユーザは、例えば、レイヤーＬ２を上下方向、左右方向、斜め方向などにフリックすることで、任意のコンテンツＩＣを探し出し、再生などの操作を行うことができる。なお、コンテンツＩＣの再生制御や詳細情報の確認等については、例えば、別画面のポップアップや画面遷移などにより実現されてもよい。
【００５９】
以上、本実施形態に係るスケジュールメニューおよびコンテンツ視聴メニューの表示例について説明した。上述したように、本実施形態に係る立体オブジェクトＯによれば、複数のレイヤーＬの間で操作感を統一することができ、初めて操作を行うメニューの場合であっても、ユーザが直観的かつ容易に操作を行うことが可能となる。
【００６０】
なお、図４および図５では、レイヤーＬ１およびＬ２が共に略筒型の形状を有する場合を一例として示したが、本実施形態に係るレイヤーＬやリングＲの形状は、対応するメニューの特性に応じて設計されてもよい。例えば、レイヤーＬ１にスケジュールメニューを表示する場合において、周方向に１週間の時間軸が設定される場合、レイヤーＬ１は、例えば、七角柱であってもよいし、周方向に１年の時間軸が設定される場合、レイヤーＬ１は、例えば、十二角柱であってもよい。本実施形態に係る制御部１１０は、メニューの特性に応じてレイヤーＬの形状を動的に変更することも可能である。
【００６１】
次に、レイヤーＬが機能の実行に係るレベル（度合い）を制御するメニューを表示する場合の一例について説明する。本実施形態に係る制御部１１０は、例えば、立体オブジェクトに対するユーザ操作に基づいて、機能の実行に係るレベルを変化させることができる。
【００６２】
図６Ａおよび図６Ｂは、本実施形態に係る機能の実行に係るレベル制御について説明するための図である。なお、図６Ａおよび図６Ｂには、本実施形態に係る略筒型の立体オブジェクトＯの最内側に配置されるレイヤーＬ４がエアーコンディショナー制御に係るメニュー表示を行う場合の一例が示されている。
【００６３】
例えば、図６Ａに示す一例の場合、本実施形態に係る制御部１１０は、立体オブジェクトＯの長手方向（上下方向）に対するユーザのフリック操作に基づいて、エアーコンディショナーの温度レベルを変化させている。
【００６４】
この際、本実施形態に係る制御部１１０は、図６Ａに示すように、例えば、環状のレベルゲージＬＧがレイヤーＬ４の周囲に表示されるよう制御を行ってもよい。ユーザは、レベルゲージＬＧをフリックし表示位置を上げ下げすることで、エアーコンディショナーの温度を調整することが可能である。
【００６５】
この場合、制御部１１０は、レベルゲージＬＧの表示位置が高いほどエアーコンディショナーの温度を高く変化させ、表示位置が低いほど温度を低く変化させてよい。また、この際、本実施形態に係る制御部１１０は、設定する温度に応じて、レイヤーＬ４の内側に配置される立体オブジェクトＯの軸Ａの色を変化させてもよい。制御部１１０は、例えば、温度が高いほど軸Ａの表示色を赤色に近づけ、温度が低いほど表示色を青色に近づけてもよい。また、制御部１１０は、レイヤーＬ４上または立体オブジェクトは別途の視覚表示として、設定された温度を数値で提示してもよい。
【００６６】
本実施形態に係る制御部１１０による上記のような制御によれば、ユーザがフリック操作により直観的かつ容易に温度のレベル調整を行うことが可能となる。
【００６７】
また、本実施形態に係る制御部１１０は、エアーコンディショナーの温度に加え、風量のレベル制御を行ってもよい。例えば、図６Ｂに示す一例の場合、本実施形態に係る制御部１１０は、立体オブジェクトＯの短手方向（周方向）に対するユーザのフリック操作に基づいて、エアーコンディショナーの風量レベルを変化させている。
【００６８】
より具体的には、本実施形態に係る制御部１１０は、レベルゲージＬＧに対するユーザの周方向のフリック操作に基づいて、エアーコンディショナーの風量レベルを変化させてよい。制御部１１０は、例えば、左回り方向（図中右方向）に対するユーザのフリック操作に基づいて風量レベルを上昇させ、右回り方向（図中左方向）に対するユーザのフリック操作に基づいて風量レベルを低下させてもよい。
【００６９】
本実施形態に係る制御部１１０による上記の制御によれば、ユーザはレベルゲージＬＧを回転させるような感覚でエアーコンディショナーの風量を直観的かつ容易に設定することができる。また、この際、制御部１１０は、風量レベルに応じてレベルゲージＬＧの大きさや視覚効果を変化させることで、ユーザに風量レベルの程度を知覚させることができる。
【００７０】
以上、本実施形態に係る機能の実行に係るレベル制御について説明した。本実施形態に係る制御部１１０が制御する立体オブジェクトＯによれば、例えば、エアーコンディショナーの温度と風量などの性質が異なる複数のレベル制御をユーザが簡単な操作で直観的に行うことができ、操作性を向上させることができる。また、本実施形態に係る立体オブジェクトＯによれば、ユーザのフリック等の操作量がレベルに直接的に判定されることから、操作を行っている実感を増加させると共にユーザに従来とは異なる新鮮な操作感覚を想起させる効果が期待される。
【００７１】
なお、図６Ａおよび図６Ｂでは、制御部１１０がエアーコンディショナーの実行レベルに係る制御を行う場合を一例として説明したが、本実施形態に係るレベル制御は係る例に限定されない。本実施形態に係る制御部１１０は、例えば、立体オブジェクトＯに音量調整などに係るメニューを表示させてもよい。また、制御装置１０が車両に搭載される装置や機能を制御する場合にあっては、例えば、ワイパーの速度やライトの光量の調整などに係るメニューを表示させてもよい。本実施形態に係る立体オブジェクトＯは、実行にレベルを有する種々の機能に適用可能である。
【００７２】
＜２．まとめ＞
以上説明したように、本発明の一実施形態に係る制御装置１０は、メニュー選択や機能の実行制御に係るユーザインタフェースを制御する制御部１１０を備える。また、本発明の一実施形態に係る制御部１１０は、内外方向に重複する複数のレイヤーＬを有する立体オブジェクトＯをユーザインタフェース上に配置し、ユーザ操作に基づいて最外側に表示させるレイヤーＬの切り替えを制御し、レイヤーＬの表面に配置された少なくとも一つのメニューをユーザに提示すること、を特徴の一つとする。
【００７３】
また、本発明の一実施形態に係る制御部１１０は、立体オブジェクトＯに対する長手方向または短手方向のユーザ操作に基づいて、機能の実行い係るレベルを変化させること、を特徴の一つとする。
【００７４】
上記の構成によれば、より直観的に操作を行うことが可能なメニュー表示を提供することが可能となる。
【００７５】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００７６】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【００７７】
また、コンピュータに内蔵されるＣＰＵ、ＲＯＭおよびＲＡＭなどのハードウェアに、制御装置１０が有する構成と同等の機能を発揮させるためのプログラムも作成可能であり、当該プログラムを記録した、コンピュータに読み取り可能な記録媒体も提供され得る。
【符号の説明】
【００７８】
１０    制御装置、１１０    制御部、２０    操作装置、３０    表示装置、Ｏ    立体オブジェクト、Ｌ    レイヤー、Ｒ    リング、ＬＧ    レベルゲージ
【図１】
2020030518.tif 000003
【図２】
2020030518.tif 000004
【図３】
2020030518.tif 000005
【図４】
2020030518.tif 000006
【図５】
2020030518.tif 000007
【図６Ａ】
2020030518.tif 000008
【図６Ｂ】
2020030518.tif 000009